(57)【要約】【課題】温度変化による積層板の膨張時や収縮時のデザインシートの皺の発生や剥がれの発生等を確実に防止するとともに、積層板の見栄えを向上させる。【解決手段】遊技盤の前面が遊技領域を含み、遊技球が流下する空間を遊技領域が区画する弾球遊技機であって、遊技盤は、アクリル樹脂製の遊技基板１２１と、遊技基板１２１の前面に接着層１２３によって貼着されるセルロース系樹脂製のデザインシート１２２とからなる積層板１２０を有し、セルロース系樹脂の線膨張係数は、アクリル樹脂の線膨張係数以上である。【選択図】図１０
2015128526.tif 000002
【特許請求の範囲】
【請求項１】
遊技盤の前面が遊技領域を含み、当該遊技盤を傾斜させて遊技球を流下させると共に複数の遊技釘によって流下方向を変更させる空間を所定のガイドレールに基づいて前記遊技領域が区画する弾球遊技機であって、
前記遊技盤は、光透過性の樹脂製の遊技基板と、前記遊技基板の前面又は後面の少なくとも一方に接着層によって貼着されるセルロース系樹脂製のデザインシートとからなる積層板を有し、
前記セルロース系樹脂の線膨張係数は、前記光透過性の樹脂の線膨張係数以上であり、
前記デザインシートには、前記複数の遊技釘が配設される前記遊技基板における平面領域に応じて前記遊技盤の後方側への視認性を低くし得る所定の有色意匠面が施され、
前記積層板に、前記有色意匠面に対し前記遊技盤の傾斜に応じて傾かせた傾斜孔を前記遊技釘が挿入可能となるよう穿設すると共に、少なくとも前記ガイドレールが設けられることとなる前記積層板の外周囲部分において前記遊技基板に略直交する非傾斜孔を前記遊技盤の形成に基づくよう穿設する
ことを特徴とする弾球遊技機。
【請求項２】
請求項１に記載の弾球遊技機であって、
前記デザインシートの厚さに対する前記接着層の厚さの割合は、１／５以上１／３０以下とし、
複数の前記傾斜孔の隣り合う間隔を、前記遊技釘の胴部より大きくした釘頭以上かつ当該釘頭の２倍以下の互いに近接した状態として、前記遊技基板に貼着した前記デザインシートに対して前記複数の傾斜孔を穿設可能とする
ことを特徴とする弾球遊技機。
【請求項３】
請求項１又は請求項２に記載の弾球遊技機であって、
前記デザインシートは、前記遊技基板の前面に貼着され、
前記積層板は、所定の部品を取り付けるための複数の第１取付孔と、前記遊技球の流下方向を変更させる複数の遊技釘を植設するための複数の第２取付孔とを有し、
前記第１取付孔は、前記デザインシートの前面から前記遊技基板に略同径で連続し、前記積層板に対して略直交して延びる段無しの非傾斜孔であり、
前記第２取付孔は、前記遊技釘の胴部と僅かに離間するよう当該胴部の径よりも大径であって前記デザインシートを貫通する前孔部と、この前孔部と同心状に前記前孔部の底面から前記遊技基板へ連続する小径の後孔部とを有し、前記積層板に対して後下方へ傾斜して延びる段付きの傾斜孔である
ことを特徴とする弾球遊技機。
【請求項４】
請求項３に記載の弾球遊技機であって、
前記所定の部品は、軸挿通孔を有する風車であり、
前記軸挿通孔に前記遊技釘の胴部を挿通し、挿通した遊技釘の胴部における先端部を前記遊技領域内に設けた前記胴部と略同径の前記第１取付孔に嵌入することによって、前記風車が前記積層板の前面に回転自在に取り付けられる
ことを特徴とする弾球遊技機。
【発明の詳細な説明】
【技術分野】
【０００１】
本発明は、パチンコ機などの弾球遊技機に関する。
【背景技術】
【０００２】
特許文献１には、アクリル樹脂製の透明樹脂シートの表面に、ＰＥＴ（ポリエチレンテレフタレート）製の透明フィルムが接着層を介して積層される弾球遊技機基板用複合シートにおいて、接着層と透明フィルムの厚みの比（接着層の厚み／透明フィルムの厚み）を１／１．５〜１／３に設定することが記載されている。
【０００３】
特許文献２には、アクリル樹脂製の基盤の前面にＰＥＴ製の樹脂フィルムが接着剤層を介して張り付けられた遊技盤が記載されている。基盤よりも樹脂フィルムの方が線膨張係数が小さく、温度降下による基盤の収縮時に、基盤の下穴に圧入された釘に樹脂フィルムの挿通孔の周辺部分が干渉して浮き上がる可能性があるため、下穴の形状は、釘の胴部の外径よりも大きな内径を有する大径部と、釘が圧入される小径部とを備えた段付形状とされ、樹脂フィルムの挿通孔は、下穴の大径部の内径と同一かそれよりも大きな内径に設定される。
【先行技術文献】
【特許文献】
【０００４】
【特許文献１】特開２０１０−２７９４６６号公報
【特許文献２】特開２００９−２１９８６０号公報
【発明の概要】
【発明が解決しようとする課題】
【０００５】
特許文献１のようにアクリル樹脂製の透明樹脂シート（遊技基板）の表面にＰＥＴ製の透明フィルム（デザインシート）を接着層によって貼着して複合シート（積層板）を形成する場合、ＰＥＴ製の薄肉状のデザインシートの線膨張係数の方がアクリル樹脂製の厚肉状の遊技基板の線膨張係数よりも小さいため、温度変化による遊技基板の膨張や収縮にデザインシートが追従し難い。このような実状から、接着層の肉厚化によって接着強度を高め、温度変化による積層板の膨張時や収縮時のデザインシートの皺の発生や剥がれの発生等を確実に防止するために、接着層の厚み／透明フィルムの厚みを１／１．５〜１／３に設定する必要があり、接着層の肉厚化が見栄えの悪化を招いてしまう。
【０００６】
特許文献２の遊技盤も、特許文献１と同様に、薄肉状の樹脂フィルム（デザインシート）の線膨張係数の方が厚肉状の基盤（遊技基板）の線膨張係数よりも小さいため、接着剤層（接着層）の肉厚化によって接着強度を高める必要があり、接着層の肉厚化が見栄えの悪化を招いてしまう。
【０００７】
そこで、本発明は、温度変化による積層板の膨張時や収縮時のデザインシートの皺の発生や剥がれの発生等を確実に防止するとともに、積層板の見栄えを向上させることを目的とする。
【課題を解決するための手段】
【０００８】
上記目的を達成するため、本発明の第１の態様は、遊技盤の前面が遊技領域を含み、遊技盤を傾斜させて遊技球を流下させると共に複数の遊技釘によって流下方向を変更させる空間を所定のガイドレールに基づいて遊技領域が区画する弾球遊技機であって、遊技盤は、光透過性の樹脂製（例えばアクリル樹脂製）の遊技基板と、遊技基板の前面又は後面の少なくとも一方に接着層によって貼着されるセルロース系樹脂製のデザインシートとからなる積層板を有し、セルロース系樹脂の線膨張係数は、上記光透過性の樹脂の線膨張係数以上である。
【０００９】
デザインシートには、複数の遊技釘が配設される遊技基板における平面領域に応じて遊技盤の後方側への視認性を低くし得る（例えば、該視認を部分的あるいは全面的に遮る模様や絵柄等の）所定の有色意匠面が施される。
【００１０】
積層板には、有色意匠面に対し遊技盤の傾斜に応じて傾かせた傾斜孔が、遊技釘が挿入可能となるよう穿設されると共に、少なくともガイドレールが設けられることとなる積層板の外周囲部分において遊技基板に略直交する非傾斜孔が、遊技盤の形成に基づくよう穿設される。
【００１１】
また、デザインシートの厚さに対する接着層の厚さの割合は、１／５以上１／３０以下が好適である。
【００１２】
また、複数の傾斜孔の隣り合う間隔を、遊技釘の胴部より大きくした釘頭以上かつ釘頭の２倍以下の互いに近接した状態として、遊技基板に貼着したデザインシートに対してこれら複数の傾斜孔が穿設可能とされる。
【００１３】
上記構成では、セルロース系樹脂製の薄肉状のデザインシートの線膨張係数は、光透過性の樹脂製の厚肉状の遊技基板の線膨張係数以上であるため、温度変化による遊技基板の膨張や収縮にデザインシートが追従し易い。このため、接着層の薄肉化による見栄えの向上と、温度変化による積層板の膨張時や収縮時のデザインシートの皺の発生や剥がれの発生等の防止とを、両立して図ることができる。
【００１４】
本発明の第２の態様は、第１又は第２の態様の弾球遊技機であって、デザインシートは、遊技基板の前面に貼着される。積層板は、所定の部品を取り付けるための複数の第１取付孔と、遊技球の流下方向を変更させる複数の遊技釘を植設するための複数の第２取付孔とを有する。第１取付孔は、デザインシートの前面から遊技基板に略同径で連続し、積層板に対して略直交して延びる段無しの非傾斜孔である。第２取付孔は、遊技釘の胴部と僅かに離間するよう胴部の径よりも大径であってデザインシートを貫通する前孔部と、前孔部と同心状に前孔部の底面から遊技基板へ連続する小径の後孔部とを有し、積層板に対して後下方へ傾斜して延びる段付きの傾斜孔である。
【００１５】
所定の部品は、軸挿通孔を有する風車であってもよく、軸挿通孔に遊技釘の胴部を挿通し、挿通した遊技釘の胴部における先端部を遊技領域内に設けた胴部と略同径の第１取付孔に嵌入することによって、風車が積層板の前面に回転自在に取り付けられてもよい。
【００１６】
上記構成では、遊技釘が植設される第２取付孔の前側に遊技釘の胴部よりも大径の前孔部を形成しているので、流下する遊技球と当接することによって遊技釘が振動した場合であっても、遊技釘の胴部がデザインシートと干渉せず、遊技釘との干渉に起因するデザインシートの剥がれを防止することができる。
【００１７】
また、第１取付孔が段無しの孔であるため、１つの第１取付孔を形成するための穿孔作業が１回で済み、作業工数の削減を図ることができる。なお、所定の部品を取り付けるために第１取付孔に嵌入される固定釘は、遊技球との当接による振動の影響を受け難いため、第１取付孔を段無しの孔としても固定釘との干渉に起因するデザインシートの剥がれは発生し難い。
【発明の効果】
【００１８】
本発明によれば、温度変化による積層板の膨張時や収縮時のデザインシートの皺の発生や剥がれの発生等を確実に防止するとともに、積層板の見栄えを向上させることができる。
【図面の簡単な説明】
【００１９】
【図１】本発明の実施の形態例に係るパチンコ機の外観斜視図である。
【図２】図１のパチンコ機の遊技盤の正面図である。
【図３】図１のパチンコ機の背面図である。
【図４】図２の統合表示ユニットの拡大正面図である。
【図５】図１のパチンコ機の電気的構成を示すブロック図である。
【図６】図２の遊技盤の分解斜視図である。
【図７】遊技盤の積層板に遊技釘を植設した状態を示す正面図である。
【図８】積層板に垂直孔を形成するまでの工程図である。
【図９】積層板に傾斜孔を形成する工程図である。
【図１０】積層板の傾斜孔に遊技釘を植設した状態を示す拡大断面図である。
【図１１】風車及び遊技釘の斜視図である。
【発明を実施するための形態】
【００２０】
以下、本発明の実施形態について、図面を参照しながら説明する。
【００２１】
図１に示すパチンコ遊技機（以下、「パチンコ機」と略称する）Ｐは、遊技球を遊技媒体として用いるものであり、遊技者は、遊技場運営者から遊技球を借り受けてパチンコ機Ｐによる遊技を行う。なお、パチンコ機Ｐにおける遊技において、遊技球はその１個１個が遊技価値を有した媒体であり、遊技の成果として遊技者が享受する特典（利益）は、例えば遊技者が獲得した遊技球の数に基づいて遊技価値に換算することができる。以下、図１〜図５を参照して遊技機の構成について説明する。
【００２２】
［遊技機の全体構成］
図１〜図３に示すように、パチンコ機Ｐは、機枠（外枠）１と内枠扉（前面枠）２とガラス扉３と遊技盤５とを備える。機枠１は、縦長矩形状の木製枠体であり、遊技場内の島設備（図示省略）に対して締結固定される。内枠扉２は、機枠１に開閉自在に取り付けられ、ガラス扉３は、内枠扉２に開閉自在に取り付けられる。
【００２３】
遊技盤５は、内枠扉２の内側に収容され、内枠扉２に対して着脱可能に固定される。ガラス扉３の中央部には、縦長円形状の開口窓６が形成され、開口窓６には、遊技盤５の前方を覆う透明なガラス板７が取り付けられる。遊技盤５の前面（盤面）は、遊技者が開口窓６を介して前方から視認可能な遊技領域８を含み、ガラス扉３が閉じられると、ガラス板７の内面（後面）と遊技領域８との間に遊技球が流下可能な空間が形成される。
【００２４】
内枠扉２の一側（図１中の右側）の縁部には、シリンダ錠９が設けられている。機枠１に対して内枠扉２及びガラス扉３を閉じてシリンダ錠９を施錠すると、機枠１に対する内枠扉２及びガラス扉３の開放が禁止される。
【００２５】
ガラス扉３は、その下部に前面ボード４を一体的に有し、前面ボード４には、前方へ突出する上皿１０と下皿１１とが設けられる。上皿１０は前面ボード４の上部に配置され、下皿１１は上皿１０の下方に配置される。上皿１０には、遊技者に貸し出された遊技球（貸球）や入賞により獲得した遊技球（賞球）が貯留され、下皿１１には、上皿１０が満杯の状態でさらに払い出された遊技球が貯留される。なお、本実施形態のパチンコ機ＰはいわゆるＣＲ機（ＣＲユニット５０（図５に示す）に接続される機種）であり、遊技者が借り受けた遊技球は、賞球とは別に上皿１０に払い出される。
【００２６】
前面ボード４の上面には、貸出操作部１５と演出ボタン２３とが設けられている。貸出操作部１５は、球貸スイッチ１２と返却スイッチ１３と度数表示装置１４と球貸表示装置２４とを有し、遊技者がＣＲユニット５０（図５に示す）に残高がゼロではなく且つ適正な有価媒体（例えば磁気記録媒体や記憶ＩＣ内蔵媒体等）を投入すると、投入された有価媒体の残存度数が球貸表示装置２４に表示されるとともに、球貸表示装置２４の球貸可能ランプ（図示省略）が点灯する。係る状態で遊技者が球貸スイッチ１２を操作すると、予め決められた度数単位（例えば５００円分に相当する５度数）に対応する個数（例えば１２５個）分の遊技球が貸し出され、球貸表示装置２４に、貸出処理中であることが表示されるとともに、遊技球の貸出に応じて有価媒体の残高度数が減少する。なお、本実施形態ではＣＲ機を例に挙げているが、パチンコ機Ｐは、ＣＲ機以外の機種（ＣＲユニット５０に接続されない機種）であってもよい。また、演出ボタン２３は、演出に関する遊技者からの操作を受け付ける。
【００２７】
前面ボード４の前面には、上皿球抜き操作部１６と下皿球抜き操作部１７とが設けられている。上皿球抜き操作部１６が操作されると、上皿１０の遊技球が下皿１１へ流下し、下皿球抜き操作部１７が操作されると、下皿１１の遊技球が下方へ落下して排出される。下皿１１から排出された遊技球は、例えば球受け箱（図示省略）等に受け止められる。
【００２８】
前面ボード４の右下部には、発射ハンドル１８が回転自在に支持され、内枠扉２の下部には、発射装置（図示省略）が取り付けられている。上皿１の遊技球は発射装置に１個ずつ供給され、遊技者が発射ハンドル１８を回転操作すると、発射装置（発射モータ８６（図５に示す））が作動し、遊技領域８に向かって遊技球が発射される。遊技領域８は、ガイドレール２０及び遊技球規制レール２１によって略円形状に区画形成され、発射装置から発射された遊技球は、レール２０，２１に沿って滑走して遊技領域８に左上方から進入し、遊技釘１１０（図６に示す）や風車１１１（図６に示す）等に誘導及び案内されて流下する。
【００２９】
ガラス扉３の左右上部と内枠扉２の左下部とには、スピーカ２２がそれぞれ取り付けら、ガラス扉３の前面には、複数の枠体ランプ２５が取り付けられている。スピーカ２２は、遊技に関する様々な効果音を発する。枠体ランプ２５は、例えば内蔵するＬＥＤの発光（点灯や点滅、輝度階調の変化、色調の変化等）により演出を実行する。
【００３０】
［盤面の構成］
遊技領域８内には、統合表示ユニット３０、演出表示装置（画像表示器）３１、スルーチャッカ３２、電動チューリップ（普通電動役物）３３、ステージ３４、第１始動入賞口（第１特図始動入賞口）３５、第２始動入賞口（第２特図始動入賞口）３６、一般入賞口３７、アウト口３８、アタッカー装置（特別電動役物）３９、複数の盤面ランプ６０、遊技釘１１０、及び風車１１１等が設けられている。第１始動入賞口３５と第２始動入賞口３６とは上下方向に間隔を空けて配置されている。盤面ランプ６０は、例えば内蔵するＬＥＤの発光（点灯や点滅、輝度階調の変化、色調の変化等）により演出を実行する。
【００３１】
遊技釘１１０は、遊技球と接触させることにより遊技球の流下方向を変化させるため、遊技盤５の盤面の適宜な位置に打ち込まれる複数の棒状部材である。風車１１１は、遊技球の接触によって自転可能な回転部材である。
【００３２】
統合表示ユニット３０は、演出表示装置３１を視認している遊技者の視界に同時に入らないように、遊技盤５の右下部分に配置されている。図４に示すように、統合表示ユニット３０は、第１特図表示装置（第１特別図柄表示装置）４０と、第２特図表示装置（第２特別図柄表示装置）４１と、普図表示装置（普通図柄表示装置）４２と、状態表示装置４３とを備え、これらの表示装置４０〜４３は、１つの統合表示基板４８に実装された状態で遊技盤５に取り付けられる。
【００３３】
第１特図表示装置４０は、第１始動入賞口３５への遊技球の入賞を契機に行われた第１特別図柄に係る電子抽選の結果を、第１特別図柄（数字や絵柄）を変動させた後に停止表示するものである。第２特図表示装置４１は、第２始動入賞口３６への遊技球の入賞を契機に行われた第２特別図柄に係る電子抽選の結果を、第２特別図柄（数字や絵柄）を変動させた後に停止表示するものである。本実施形態の第１特図表示装置４０及び第２特図表示装置４１は、７セグメントＬＥＤによって第１特別図柄及び第２特別図柄を変動後に停止表示する。なお、本実施形態では、第２始動入賞口３６への入賞に基づく遊技の方が第１始動入賞口３５への入賞に基づく遊技よりも優先して実行されるため、第１特別図柄と第２特別図柄とが同時に変動することはない。
【００３４】
普通図柄表示装置４２は、スルーチャッカ３２の遊技球の通過を契機に行われた普通図柄に係る電子抽選の結果を、普通図柄（数字や絵柄）を変動させた後に停止表示するものである。本実施形態の普通図柄表示装置４２は、７セグメントＬＥＤによって普通図柄を変動後に停止表示する。
【００３５】
状態表示装置４３は、ラウンド数表示部４４、第１特図保留数表示部４５、第２特図保留数表示部４６、及び普図保留数表示部４７を有する。ラウンド数表示部４４は、４つのランプ（ＬＥＤ）から構成され、ランプの消灯、点灯又は点滅の組合せによって現在の大当たりが何ラウンド継続するかを表示する。第１特図保留数表示部４５は、第１始動入賞口３５に遊技球が入賞し、当該入賞に応じて取得された第１特図当たり決定乱数（大当たり決定乱数）が第１特図保留乱数として主制御装置７０のＲＡＭ７５（図５に示す）の第１特図保留乱数記憶領域（図示省略）に記憶されると、その記憶数を現在の保留数として表示する。第２特図保留数表示部４６は、第２始動入賞口３６に遊技球が入賞し、当該入賞に応じて取得された第２特図当たり決定乱数（大当たり決定乱数）が第２特図保留乱数としてＲＡＭ７５の第２特図保留乱数記憶領域（図示省略）に記憶されると、その記憶数を現在の保留数を表示する。普図保留数表示部４７は、スルーチャッカ３２を遊技球が通過し、当該通過に応じて取得された普図当たり決定乱数（当たり決定乱数）が普図保留乱数としてＲＡＭ７５の普図保留乱数記憶領域（図示省略）に記憶されると、その記憶数を現在の保留数を表示する。これらの保留数表示部４５，４６，４７は、それぞれランプ（ＬＥＤ）から構成され、ランプの消灯、点灯又は点滅の組合せによって「０」個〜「４」個（保留球乱数の記憶数の上限）の間で保留数を表示する。
【００３６】
演出表示装置３１は、液晶の画像表示器を有し、図２に示すように、遊技盤５の略中央部に設けられ、第１始動入賞口３５及び第２始動入賞口３６への遊技球の入賞を契機に行われた特別図柄に係る電子抽選の結果に基づいて所定の演出画像を表示する。演出画像には、第１特図表示装置４０及び第２特図表示装置４１に変動表示される第１特別図柄及び第２特別図柄と同期をとって変動するダミー図柄（演出図柄）と、第１特図当たり決定乱数の保留数表示と、第２特図当たり決定乱数の保留数表示とが含まれる。
【００３７】
電動チューリップ３３は、１対の羽根部材４９と電動チューリップ駆動装置５１（図５に示す）とを備える。１対の羽根部材４９は、遊技盤５との直交軸を中心に回転自在であり、第２始動入賞口３６の入口の左右に配置される。電動チューリップ駆動装置５１のソレノイド（図示省略）が通電されると、１対の羽根部材４９が互いに離れる方向に回転し、電動チューリップ３３が開口して、第２始動入賞口３６の入口が拡大される。電動チューリップ３３が閉じた状態（通常状態）では、第２始動入賞口３６に遊技球は入賞できず、第２始動入賞口３６への入賞は、電動チューリップ３３の開口時に制限される。
【００３８】
ステージ３４は、遊技球が転動しながら一時的に滞在する構造物であり、演出表示装置３１の下方に配置される。ステージ３４の略中央の真下に第１始動入賞口３５が配され、ステージ３４の中央部分から落下した遊技球は、高い確率で第１始動入賞口３５へと導かれる。
【００３９】
アタッカー装置３９は、第１始動入賞口３５及び第２始動入賞口３６に遊技球が入賞することを契機に行われる特別図柄に係る電子抽選の結果、特図当たり（大当たり）となって大当たり遊技に移行した場合に所定回数（本実施形態では、２ラウンド又は１５ラウンド）開放される装置である。アタッカー装置３９は、横長矩形状の大入賞口５２と横長板状の蓋部材５３とアタッカー駆動装置５４（図５に示す）とを備える。蓋部材５３の下部は、水平な軸を中心として前後方向に開閉自在に支持され、アタッカー駆動装置５４のソレノイド（図示省略）が通電されると、蓋部材５３の上部が前下方へ傾動し、アタッカー装置３９が開口して大入賞口５２が露呈され、多量の遊技球が蓋部材５３の上面（裏面）に案内されて大入賞口５２へ入賞可能となる。アタッカー装置３９が閉じた状態（通常状態）では、蓋部材５３が大入賞口５２を閉止するため、大入賞口５２への入賞は、アタッカー装置３９の開口時に制限される。
【００４０】
各入賞口（第１始動入賞口３５、第２始動入賞口３６、一般入賞口３７、大入賞口５２）に遊技球が入賞すると、所定個数の遊技球が賞球として遊技者に払い出され、入賞した遊技球は、その入賞口３５，３６，３７，５２から遊技盤５の裏側へ回収される。また、何れの入賞口３５，３６，３７，５２にも入賞しなかった遊技球は、最終的にアウト口３８から遊技盤５の裏側へ回収される。回収された遊技球は、アウト通路アセンブリ（図示省略）を通じてパチンコ機Ｐの裏側から枠外へ排出され、さらに島設備の補給経路（図示省略）に合流する。
【００４１】
スルーチャッカ３２、第１始動入賞口３５、第２始動入賞口３６、一般入賞口３７、大入賞口５２の内部には、それぞれ遊技球の通過を検知するためのセンサ（図５に示すゲート通過球検知センサ５５、第１特図始動球検知センサ５６、第２特図始動球検知センサ５７、大入賞球検知センサ５８及び一般入賞球検知センサ５９）が設けられている。これらのセンサ５５，５６，５７，５８，５９は、遊技球の通過を検知する度に、主制御装置７０（図５に示す）に検知信号を送信する。なお、第１特図始動球検知センサ５６と第２特図始動球検知センサ５７と大入賞球検知センサ５８と一般入賞球検知センサ５９とは、遊技領域８に発射された遊技球の入賞を検知する入賞検知手段として機能する。また、以下の説明において、これらの検知信号のうち、センサ５６，５７，５８，５９が送信する検知信号を入賞球検知信号と称し、センサ５５が送信する検知信号を球通過検知信号と称して、両者を区別する場合がある。
【００４２】
［裏側の構成］
図３に示すように、パチンコ機Ｐの裏側には、電源供給装置６１、主制御基板ユニット６２、払出制御基板ユニット６３、サブ制御基板ユニット６４、外部情報端子基板６５、電源コード（電源プラグ）６６、アース線（アース端子）６７、パチンコ機Ｐの電源系統や制御系統を構成する各種の電子機器類（図示外の制御コンピュータを含む）等が設置されている。
【００４３】
外部情報端子基板６５は、パチンコ機Ｐを外部の電子機器（例えば、ホールコンピュータ６８（図５に示す）やデータ表示装置等）に接続するためのインタフェースであり、パチンコ機Ｐの遊技進行状態やメンテナンス状態等を表す各種の外部情報信号（例えばメイン賞球情報、賞球情報、扉開放情報、図柄確定回数情報、大当たり情報、始動口情報、エラー情報等）は、外部情報端子基板６５から外部の電子機器に送信される。
【００４４】
電源コード６６は、遊技場の島設備に設置された電源装置（例えばＡＣ２４Ｖ）に接続されて、パチンコ機Ｐの動作に必要な電源（電力）を確保する。アース線６７は、島設備に設置されたアース端子に接続され、パチンコ機Ｐをアース（接地）する。
【００４５】
［制御に関する構成］
次に、パチンコ機Ｐの制御に関する構成について簡単に説明する。図５は、パチンコ機Ｐに装備された各種の電子機器類を示すブロック図である。
【００４６】
パチンコ機Ｐは、主制御装置７０と払出制御装置７１とサブ制御装置７２と発射制御装置１００とを備える。主制御装置７０は、制御動作の中枢であり、主にパチンコ機Ｐにおける遊技処理の実行を制御する機能を有し、主制御基板ユニット６２に内蔵されている。払出制御装置７１は、主に遊技球の払い出しを制御する機能を有し、発射制御装置１００は主に遊技球の発射を制御する機能を有し、払出制御装置７１と発射制御装置１００とは、共に払出制御基板ユニット６３に内蔵され、共通の制御基板（払出制御基板）に実装されている。サブ制御装置７２は、主に演出を制御する機能を有し、サブ制御基板ユニット６４に内蔵されている。主制御装置７０と払出制御装置７１とは、主制御装置７０から払出制御装置７１に対して一方向への送信が行われる通信線（主コマンド許可信号線及び主コマンドデータ信号線）と、払出制御装置７１から主制御装置７０に対して一方向への送信が行われる通信線（払出コマンド許可信号線及び払出コマンドデータ信号線）とによって接続されている。
【００４７】
［遊技盤の構成］
図６に示すように、遊技場内で遊技者に遊技させる場合において盤下部より盤上部が後方に傾く傾斜状態（本実施形態では約５度の傾斜状態）となる遊技盤５は、遊技基板１２１と、遊技基板１２１の前面に接着層１２３（図１０に示す）によって貼着されるデザインシート（セルシート）１２２とからなる積層板１２０を有する。
【００４８】
デザインシート１２２の前面（遊技盤５の前面）には、ガイドレール２０、遊技球規制レール２１、スルーチャッカ３２、電動チューリップ３３、ステージ３４を形成する中央構造体２６、第１始動入賞口３５、第２始動入賞口３６、一般入賞口３７、アタッカー装置３９、盤面ランプ６０、風車１１０などの所定の部品１２５が取り付けられるとともに、複数の遊技釘１１０が植設される。複数の部品１２５の一部又は全部は、統合された構造体ユニットとして取り付けられてもよい。
【００４９】
積層板１２０の後面（遊技基板１２１の後面）には、積層板１２０の後面を覆う後面カバー１２４が取り付けられる。
【００５０】
遊技基板１２１は、アクリル樹脂製の矩形厚肉状の透明板部材（全面的に透光性を備える樹脂製の遊技基板）である。アクリル樹脂とは、アクリル酸エステル或いはメタクリル酸エステルの重合体であり、例えばＰＭＭＡ（ポリメタクリル酸メチル樹脂）である。
【００５１】
デザインシート１２２は、セルロース系樹脂製の矩形薄肉状の透明フィルムであり、その表面又は裏面の少なくとも一方にシルク印刷によって意匠（例えば立体的なグラフィックデザインなど）が施されている。
【００５２】
そして、当該意匠は、積層板１２０において複数の遊技釘１１０が配設される平面領域（所謂；遊技球の流下領域）に応じて遊技盤５の後方側への性を低くし得る（例えば、該視認を部分的あるいは全面的に遮る模様や絵柄等の）所定の有色意匠面として形成される。
【００５３】
なお、所定の有色意匠面は、後方から照明された光を一部的又は、全面的に透過させる意匠面であると演出効果が高まるため好適である。
【００５４】
これにより、遊技盤５の後方側に配置される遊技球の排出通路や遊技球の通過を検知する球検知センサ（図５に示すゲート通過球検知センサ５５、第１特図始動球検知センサ５６、第２特図始動球検知センサ５７、大入賞球検知センサ５８及び一般入賞球検知センサ５９を含む）及びこれに基づく電気的な配線などの目隠しとすることができる。
【００５５】
また、積層板１２０には、複数の遊技釘１１０が設けられる有色意匠面に対し、遊技盤５の傾斜に応じて傾かせた傾斜孔（第２取付孔１２７）が遊技釘１１０の胴部１３４を挿入可能にするように穿設されると共に、ガイドレール２０（遊技球規制レール２１）が設けられることとなるデザインシート１２２の外周囲部分において遊技基板１２１に略直交する非傾斜孔（第１取付孔１２６）がガイドレール２０（遊技球規制レール２１）を積層板１２０に対し固定するための固定部材（所定のネジ、ビス、釘、等）に係る嵌入用部分の径と略同径として嵌入可能にするように穿設される。
【００５６】
なお、非傾斜孔は遊技盤５の形成に基づく状況に鑑みて穿設されるため、平面視円形の孔に形状限定されず、平面視凹状の孔の形状であってもよい。さらに、遊技盤５を形成する過程ために積層板１２０を所定位置に固定セットする際の位置決め用の非傾斜孔（位置決め孔１２８）や、遊技領域８に流下させた遊技球を遊技盤５の後方へ排出するためのアウト口３８に基づく非傾斜孔を含むようにしてもよい。
【００５７】
セルロース系樹脂とは、ＣＡＰ（セルロース・アセテート・ポロピオネート）やＣＡＢ（セルロース・アセレート・プチレート）を原料とした樹脂であり、例えばキャブロイド（登録商標）である。デザインシート１２２は、遊技基板１２１の前面に代えて又は加えて遊技基板１２１の後面に貼着してもよい。
【００５８】
セルロース系樹脂（デザインシート１２２）の線膨張係数は、アクリル樹脂（遊技基板１２１）の線膨張係数以上である。例えば、セルロース系樹脂の線膨張係数は７×１０−５／℃〜１６×１０−５／℃であり、ＰＭＭＡの線膨張係数７×１０−５／℃である。
【００５９】
デザインシート１２２の厚さに対する接着層１２３の厚さの割合（接着層１２３の厚さ／デザインシート１２２の厚さ）は、１／５以上１／３０以下である。係る厚さの割合が１／５を超えると接着層１２３の肉厚化による見栄えの悪化を招くおそれがあり、１／３０未満では十分な接着強度が確保されないため、接着層１２３の厚さは、上記範囲内の所定の厚さに設定される。
【００６０】
さらに、上述に係る複数の傾斜孔の隣り合う間隔は、遊技釘１１０の胴部１３４より一回り大きくした釘頭１３２以上かつ該釘頭１３２の２倍以下の互いに近接した状態にして複数の傾斜孔を穿設した場合において、この穿設の際にデザインシート１２２の皺の発生や剥がれの発生が抑制される貼着設定となっている。
【００６１】
図７に示すように、積層板１２０には、上記複数の部品１２５を取り付けるための複数の第１取付孔１２６と、複数の遊技釘１１０を植設するための複数の第２取付孔１２７とが形成される。
【００６２】
遊技釘１１０は、図１０及び図１１に示すように、軸体状の胴部１３４と、胴部１３４の一端に形成された頭部１３２と、胴部１３４の他端に形成されたローレット状の先端部１３３とを一体的に有する。
【００６３】
図８（ｅ）に示すように、第１取付孔１２６は、デザインシート１２２の前面から遊技基板１２１に略同径で連続し、積層板１２０に対して略直交して延びる段無しの非傾斜孔である。第１取付孔１２６の内径寸法は、部品１２５を固定的に支持するために必要な固定釘（図示省略）の先端部の外径寸法に応じて略同径に設定され、積層板１２０に対し所定の強度で支持（立設）可能に固定釘を第１取付孔１２６に嵌入（例えば、加熱して圧入）することによって、部品１２５が遊技盤５に固定される。
【００６４】
このため、第１取付孔１２６に嵌入される固定釘は、デザインシート１２２の第１取付孔１２６の内側縁と干渉し易くなる嵌入状態となる。
【００６５】
また、部品１２５が風車１１１の場合、固定釘として遊技釘１１０が用いられる。図１１に示すように、風車１１１は、前後に貫通する軸挿通孔１３４を有する。軸挿通孔１３４に遊技釘１１０の胴部１３４を挿通し、挿通した遊技釘１１０の胴部１３４における先端部１３３を遊技領域８内に設けた胴部１３４の径と略同径の第１取付孔１２６ａ（図７に示す）に嵌入することによって、風車１１１が、積層板１２０の前面に、遊技領域８内を流下する遊技球との当接に応じて回転自在となるように取り付けられる。
【００６６】
なお、風車１１１（所定の部品）を取り付けるために第１取付孔１２６に嵌入される固定釘は、遊技球との当接による風車１１１の回転によって振動の影響を受け難いため、第１取付孔１２６を段無しの孔として固定釘と干渉する嵌入に係るデザインシート１２２の貼着状態とした場合であっても、固定釘の振動に起因するデザインシート１２２の剥がれは発生し難くなる。
【００６７】
図９（ｄ）に示すように、第２取付孔１２７は、デザインシート１２２を貫通する大径の前孔部１３０と、前孔部１３０と同心状に前孔部１３０の底面から遊技基板１２１へ連続する小径の後孔部１３１とを有し、積層板１２１に対して後下方へ傾斜して延びる段付きの傾斜孔である。前孔部１３０の内径は、遊技釘１１０の胴部１３４の外径よりも僅かに大きく（例えば、胴部１３４の外径を超える１．５ｍｍ以下に）設定され、第２取付孔１２７の傾斜角度は、遊技盤５の傾斜に応じて傾かせると共に、遊技基板１２１の直交方向に対して所定角度（本実施形態では約５度）に原則一律に設定されている。なお、所定の入賞口周りに配設される遊技釘１１０は、例外的な角度設定を施すようにしてもよい。
【００６８】
また、大径の前孔部１３０は、デザインシート１２２のみを貫通していればよく、傾斜に係る穿設の際には、ドリル１３６がデザインシート１２２を貫通して遊技基板１２１へ到達しだい当該穿設は終了となる。
【００６９】
後孔部１３１の内径は、遊技釘１１０の胴部１３４の外径と略同径にて設定される。
【００７０】
図１０に示すように、遊技釘１１０の先端部１３２を後孔部１３１に嵌入（例えば、加熱して圧入）することによって、遊技釘１１０が積層板１２０に対し所定の強度で支持（立設）可能に遊技盤５に植設される。係る状態で、デザインシート１２２に穿設される第２取付孔１２７（前孔部１３０）の内側縁は遊技釘１１０の胴部１３４から離間するため、遊技領域８を流下する遊技球と遊技釘１１０の当接から発生する振動に起因するデザインシート１２２の剥がれは発生し難くなる。
【００７１】
従って、胴部１３４の外径よりも僅かに大径の前孔部１３０は、技釘１１０の振動に起因して互いに干渉し合わないよう離間する最低限の大きさとして設定されると好適である。
【００７２】
また、隣接する第２取付孔１２７の距離は、遊技釘１１０の頭部１３２の外径よりも大きく設定され、例えば、遊技領域８を流下する遊技球を所定の入賞口の方向へ案内する、又はその入賞口の方向とは異ならせて球振分けするように連なって配列される。
【００７３】
図７に示すように、積層板１２０には、第１取付孔１２６及び第２取付孔１２７の他に、複数（本実施形態では２つ）の位置決め孔１２８が形成される。位置決め孔１２８は、第１取付孔１２６と同様の段無しの非傾斜孔であり、積層板１２０の角部の近傍に配置される。位置決め孔１２８は、部品１２５等を積層板１２０に取り付ける加工機や遊技釘１１０を積層板１２０に植設する釘打ち機などに積層板１２０をセットする際の位置決め用の孔として用いられる。
【００７４】
［積層板の穿孔処理］
次に、積層板１２０の穿孔処理について、図８及び図９を参照して説明する。図８（ａ）は積層板１２０（遊技基板１２１）の加工前の状態を、（ｂ）は遊技基板１２１の前面から表面保護シート１２９を剥がしてデザインシート１２２を貼着した状態を、（ｃ）はデザインシート１２２の前面に表面保護シート１２９を再貼着した状態を、（ｄ）は積層板１２０に第１取付孔１２６を形成している状態を、（ｅ）は第１取付孔１２６の形成後の状態をそれぞれ示す。また、図９の（ａ）は第２取付孔１２７の前孔部１３０を形成している状態を、（ｂ）は前孔部１３０の形成後の状態を、（ｃ）は後孔部１３１を形成している状態を、（ｄ）は後孔部１３１の形成後の状態をそれぞれ示す。
【００７５】
穿孔処理前の遊技基板１２１の両面（前面及び後面）には、遊技基板１２１の表面を保護するための保護シート１２９が貼着されている（図８（ａ））。保護シート１２１は、ポリエチレンやポリプロピレンなどの樹脂製フィルムである。加工前に、遊技基板１２１の前面から表面保護シート１２９を剥がし、遊技基板１２１をセル貼り機（図示省略）にセットし、デザインシート１２２を貼着して積層板１２０を形成する（図８（ｂ））。次に、積層板１２０を保護シート貼り機（図示省略）にセットして、デザインシート１２２の前面に表面保護シート１２９を再貼着した後（図８（ｃ））、積層板１２０を垂直孔加工機（図示省略）にセットし、ドリル１３５によって第１取付孔１２６及び位置決め孔１２８を形成する（図８（ｄ），（ｅ））。なお、ドリル１３５は、形成する孔の内径に応じた外径のドリルが使用される。次に、積層板１２０をザグリ用加工機（図示省略）にセットし、大径のドリル１３６によって第２取付孔１２７の前孔部１３０を形成した後（図９（ａ），（ｂ））、積層板１２０を５度孔加工機（図示省略）にセットし、小径のドリル１３７によって後孔部１３１を形成する（図８（ｃ），（ｄ））。
【００７６】
穿孔処理が終了した積層板１２０に対し、遊技釘１１０の植設や、部品１２５等の取り付けが行われる。保護シート１２９は、遊技釘１１０の植設前や裏カバー１２４の取付時などの所定のタイミングで、積層板１２０から剥がされる。
【００７７】
本実施形態によれば、セルロース系樹脂製の薄肉状のデザインシート１２２の線膨張係数は、アクリル樹脂製の厚肉状の遊技基板１２１の線膨張係数以上であるため、温度変化による遊技基板１２１の膨張や収縮にデザインシート１２２が追従し易い。このため、接着層１２３の薄肉化による見栄えの向上と、温度変化による積層板１２０の膨張時や収縮時のデザインシート１２２の皺の発生や剥がれの発生等の防止とを、両立して図ることができる。
【００７８】
また、遊技釘１１０が植設される第２取付孔１２７の前側に遊技釘１１０の胴部１３４よりも大径の前孔部１３０を形成しているので、流下する遊技球と当接することによって遊技釘１１０が振動した場合であっても、遊技釘１１０の胴部１３４がデザインシート１２２と干渉せず、遊技釘１１０との干渉に起因するデザインシート１２２の剥がれを防止することができる。
【００７９】
また、第１取付孔１２６が段無しの孔であるため、１つの第１取付孔１２６を形成するための穿孔作業が１回で済み、作業工数の削減を図ることができる。なお、部品１２５を取り付けるために第１取付孔１２６に嵌入される固定釘は、遊技球との当接による振動の影響を受け難いため、第１取付孔１２６を段無しの孔としても固定釘との干渉に起因するデザインシート１２２の剥がれは発生し難い。
【００８０】
以上、本発明者によってなされた発明を適用した実施の形態について説明したが、この実施の形態による本発明の開示の一部をなす論述及び図面により本発明は限定されることはない。すなわち、この実施の形態に基づいて当業者等によりなされる他の実施の形態、実施例及び運用技術等は全て本発明の範疇に含まれることは勿論であることを付け加えておく。
【符号の説明】
【００８１】
遊技盤…５、遊技領域…８、遊技釘…１１０、風車…１１１、積層板…１２０、遊技基板…１２１、デザインシート（セルシート）…１２２、接着層…１２３、裏カバー…１２４、所定の部品…１２５、第１取付孔…１２６、第２取付孔…１２７、位置決め孔…１２８、表面保護シート１２９、前孔部…１３０、後孔部…１３１、遊技釘の頭部…１３２、遊技釘の先端部…１３３、遊技釘の胴部…１３４、パチンコ機…Ｐ
【図１】
2015128526.tif 000003
【図２】
2015128526.tif 000004
【図３】
2015128526.tif 000005
【図４】
2015128526.tif 000006
【図５】
2015128526.tif 000007
【図６】
2015128526.tif 000008
【図７】
2015128526.tif 000009
【図８】
2015128526.tif 000010
【図９】
2015128526.tif 000011
【図１０】
2015128526.tif 000012
【図１１】
2015128526.tif 000013